(57)【要約】【課題】  電子ペーパの画像を高精度に読み取ることで高画質の画像を得る。【解決手段】  コントローラ１８は、電子ペーパを光学的に複写する際に、電子ペーパの表示特性メモリから読取解像度や読取光量等の表示特性を読み出す。コントローラ１８は、表示特性メモリから読み出した表示特性に基づいて、最適な条件を設定してから光学的な複写処理を実行する。【選択図】  図１
2004222275.tif 000002
【特許請求の範囲】
【請求項１】
画像を表示する際の画像の表示特性を記録した薄型表示装置から前記表示特性を読み出す読出手段と、
前記読出手段により読み出された表示特性に基づいて、前記表示手段に表示された画像を読み取る画像読取手段と、
を備えた画像読取装置。
【請求項２】
画像を表示する際の画像の表示特性を記録した薄型表示装置から前記表示特性を読み出す読出手段と、
前記表示手段に表示された画像を読み取る画像読取手段と、
前記読出手段により読み出された表示特性に基づいて、前記画像読取手段により読み取られた画像に画像処理を施す画像処理手段と、
を備えた画像読取装置。
【請求項３】
前記表示特性は、前記薄型表示装置の表面にバーコードとして記録されている
請求項１または２に記載の画像読取装置。
【請求項４】
薄型表示装置の表示方式を判定する種類判定手段と、
前記薄型表示装置に光を照射する読取光源と、
前記種類判定手段により判定された表示方式に基づいて、前記読取光源の光量を設定する光量設定手段と、
前記薄型表示装置に表示された画像を読み取る画像読取手段と、
を備えた画像読取装置。
【請求項５】
薄型表示装置に表示された画像を読み取る画像読取手段と、
前記薄型表示装置を発光させて画像を表示する第１のモードと、前記薄型表示装置を発光させないで画像を表示させない第２のモードと、を切り換え制御する制御手段と、
前記第１のモードのときに前記画像読取手段で読み取られた画像と、前記第２のモードのときに前記画像読取手段で読み取られた画像と、に基づいて、前記薄型表示装置に表示された画像と前記薄型表示装置の表示面に追記された画像とを認識する認識手段と、
を備えた画像読取装置。
【請求項６】
薄型表示装置に画像を表示させ、又は画像を表示させないように制御する表示制御手段と、
前記薄型表示装置の表示面を読み取る画像読取手段と、
前記薄型表示装置に画像が表示されているときに前記画像読取手段により読み取られた画像と、前記薄型表示装置に画像が表示されていないときに前記画像読取手段で読み取られた画像と、に基づいて前記薄型表示装置に表示された画像を認識する認識手段と、
を備えた画像読取装置。
【請求項７】
表示画像データに基づく画像を表示する表示手段を有し、該表示手段の表面に追加画像を描画することが可能な薄型表示装置と、
前記表示手段を読み取る読取手段と、前記表示手段に前記表示画像データに基づく画像が表示されていないときに前記表示手段を読み取るように前記読取手段を制御する制御手段と、を有する画像読取装置と、
を備えた画像読取システム。
【請求項８】
前記制御手段は更に、前記表示手段に前記表示画像データに基づく画像が表示されているときに前記表示手段を読み取るように前記読取手段を制御する
請求項７に記載の画像読取システム。
【請求項９】
前記画像読取装置が、前記表示手段に前記表示画像データに基づく画像が表示されていないときに前記読取手段により前記表示手段を読み取ることにより得られる読取画像データと、前記表示手段に前記表示画像データに基づく画像が表示されているときに前記読取手段により前記表示手段を読み取ることにより得られる読取画像データと、を合成する合成手段を更に備えた請求項８に記載の画像読取システム。
【請求項１０】
前記画像読取装置が、前記表示手段に前記表示画像データに基づく画像が表示されていないときに前記読取手段により前記表示手段を読み取ることにより得られる読取画像データと、前記表示画像データと、を合成する合成手段を更に有する請求項７に記載の画像読取システム。
【請求項１１】
薄型表示装置の表示面を読み取る画像読取手段と、
前記薄型表示装置に画像が表示されているときに前記画像読取手段により前記表示面を読み取ることにより得られる第１の読取画像データと、前記薄型表示装置に画像が表示されていないときに前記画像読取手段により前記表示面を読み取ることにより得られる第２の読取画像データと、に基づいて、前記第１の読取画像データに画像処理を施す画像処理手段と、
を備えた画像読取装置。
【請求項１２】
前記画像処理手段は、前記第２の読取画像データから前記表示面の傷に対応するデータを認識し、前記第１の読取画像データのうち、前記傷の位置に対応する位置にあるデータを他のデータで置き換えること
を特徴とする請求項１１に記載の画像読取装置。
【請求項１３】
薄型表示装置から、該薄型表示装置が画像を表示する際の表示特性を読み出すステップと、
前記薄型表示装置に表示された画像を読み取る画像読取装置の、該画像を読み取る際の条件を前記読み出された表示特性に基づいて設定するステップと、
前記設定された条件で前記画像を読み取るステップと、
を備えた画像読取方法。
【請求項１４】
前記画像を読み取る際の条件は、前記画像読取装置が発する光量及び該画像読取装置の読取解像度の少なくとも一方である請求項１３に記載の画像読取方法。
【請求項１５】
前記読み出された表示特性に基づいて、前記画像読取装置により読み取られた画像に画像処理を施すステップを更に有する請求項１３に記載の画像読取方法。
【請求項１６】
前記画像処理が、前記読み取られた画像の解像度の変換である請求項１５に記載の画像読取方法。
【請求項１７】
前記薄型表示装置の表示方式を判定するステップを更に有し、
前記画像を読み取る際の条件を設定するステップにおいて、前記判定された表示方式に基づいて該画像読取装置が発する光量を設定することを特徴とする請求項１３に記載の画像読取方法。
【請求項１８】
表示画像データに基づく画像を表示する表示手段の表面に追加画像を描画することが可能な薄型表示装置の該表示手段に前記表示画像データに基づく画像が表示されていないときに画像読取装置により前記表示手段を読み取るステップを備える画像読取方法。
【請求項１９】
前記表示手段に前記表示画像データに基づく画像が表示されているときに前記表示手段を読み取るステップを更に備える請求項１８に記載の画像読取方法。
【請求項２０】
前記表示手段に前記表示画像データに基づく画像が表示されていないときに前記表示手段を読み取ることにより得られる読取画像データと、前記表示手段に前記表示画像データに基づく画像が表示されているときに前記表示手段を読み取ることにより得られる読取画像データと、を合成するステップを更に備える請求項１９に記載の画像読取方法。
【請求項２１】
前記表示手段に前記表示画像データに基づく画像が表示されていないときに前記表示手段を読み取ることにより得られる読取画像データと、前記表示画像データと、を合成するステップを更に有する請求項１８に記載の画像読取方法。
【請求項２２】
薄型表示装置の表示面に画像が表示されているときに画像読取手段により前記表示面を読み取る第１の読取処理を実施するステップと、
前記薄型表示装置の表示面に画像が表示されていないときに前記画像読取手段により前記表示面を読み取る第２の読取処理を実施するステップと、
前記第１の読取処理により得られる第１の読取画像データと、前記第２の読取処理により得られる第２の読取画像データと、に基づいて、前記第１の読取画像データに画像処理を施すステップと、
を備えた画像読取方法。
【請求項２３】
前記画像処理を施すステップは、
前記第２の読取画像データから前記表示面の傷に対応するデータを認識するステップと、
前記第１の読取画像データのうち、前記傷の位置に対応する位置にあるデータを他のデータで置き換えるステップと、
を更に有する請求項２２に記載の画像読取方法。
【請求項２４】
薄型表示装置から、該薄型表示装置が画像を表示する際の表示特性を読み出すステップと、
前記薄型表示装置に表示された画像を読み取る画像読取装置の、該画像を読み取る際の条件を前記読み出された表示特性に基づいて設定するステップと、
前記設定された条件で前記画像を読み取るステップと、
をコンピュータに実行させる画像読取プログラム。
【請求項２５】
表示画像データに基づく画像を表示する表示手段の表面に追加画像を描画することが可能な薄型表示装置の該表示手段に前記表示画像データに基づく画像が表示されていないときに画像読取装置により前記表示手段を読み取るステップ
をコンピュータに実行させる画像読取プログラム。
【請求項２６】
薄型表示装置の表示面に画像が表示されているときに画像読取手段により前記表示面を読み取る第１の読取処理を実施するステップと、
前記薄型表示装置の表示面に画像が表示されていないときに前記画像読取手段により前記表示面を読み取る第２の読取処理を実施するステップと、
前記第１の読取処理により得られる第１の読取画像データと、前記第２の読取処理により得られる第２の読取画像データと、に基づいて、前記第１の読取画像データに画像処理を施すステップと、
をコンピュータに実行させる画像読取プログラム。
【発明の詳細な説明】
【技術分野】
【０００１】
本発明は、画像読取装置、画像読取方法、画像読取システム及び画像読取プログラムに係り、特にいわゆる電子ペーパに現れた画像を光学的に読み取るのに用いて好適な画像読取装置、画像読取方法、画像読取システム及び画像読取プログラムに関する。
【背景技術】
【０００２】
電子文書と紙文書の共有化や省資源化に伴い、電子ディスプレイと紙媒体の長所を兼ね備えた電子ペーパ（デジタルペーパ）が注目されている。電子ペーパは、情報を記憶する情報記憶部と、メモリに記憶された情報を表示する薄型の画像表示面とを備えている（例えば、特許文献１、特許文献２を参照。）。
【０００３】
ここで、電子ペーパは、様々な画像をドット構造で表示する。このため、複写機が電子ペーパに表示されている画像をコピーする場合、読取解像度や光量等を紙媒体と同様にすると、ドット構造と読取解像度とが干渉し合ってモレアが生じるおそれがある。
【０００４】
複写機は、予め電子ペーパのドット構造が分かれば、モレアを防止することができる。電子ペーパのドット構造は、画像表示方式によって異なる。そこで、複写機は、電子ペーパの記録方式（画像表示方式）を判別することができれば、ドット構造を検出することができる。
【０００５】
例えば特許文献２には、電子ペーパの画像表示方式として、電気泳動方式、サーマルリライタブル方式、液晶方式のいずれかを判別することが記載されている。
【特許文献１】特開平９−１０１８６４号公報（図５）
【特許文献２】特開平２００２−１０４７２１号公報（段落［０００５］）
【発明の開示】
【発明が解決しようとする課題】
【０００６】
しかし、特許文献２に記載された技術を複写機に取り込むと、複写機の構成が非常に煩雑になってしまうという問題がある。
【０００７】
また、複写機の対象物は、写真、印刷物、レーザープリンタやインクジェットプリンタ等で印刷されたもの、手書き文書、図、絵等の反射／透過原稿である。つまり、複写機は、通常、自ら発光する原稿を複写することはない。
【０００８】
電子ペーパには、サーマルリライタブル方式のように光源を備えていないもの、有機ＥＬ（ｅｌｅｃｔｒｏｌｕｍｉｎｅｓｃｅｎｔ）や無機ＥＬを利用したＥＬディスプレイや電界放出型ディスプレイ（Ｆｉｅｌｄ  Ｅｍｉｓｓｉｏｎ  Ｄｉｓｐｌａｙ，ＦＥＤ）、プラズマディスプレイ等のような自己発光型のディプレイ、及び液晶ディスプレイのように表示部とバックライト（光源）とを備えたものがある。しかし、現在の複写機は、電子ペーパに表示される画像をこれらの様々な電子ペーパの画像記録方式に対応して高画質に複写することはできないという問題がある。
【０００９】
さらに、電子ペーパは繰り返し使用されるため、その表面には傷が付く可能性が高い。このとき、複写機は、傷の付いた電子ペーパを読み取ると、読取画像に欠陥が生じる可能性があり、高画質に画像を複写することができない問題もある。
【００１０】
また、電子ペーパは、紙媒体と同様に扱われ、例えば文字や記号等が書き込まれることもある。このような場合、電子ペーパに記録された元の情報と手書き情報とを区別して読み取りたいという要請がある。しかし、現在の複写機や画像読取装置は、電子ペーパに記録された元の情報と手書き情報とを区別して読み取ることはできない。
【００１１】
本発明は、上述した課題を解決するために提案されたものであり、電子ペーパの画像を高精度に読み取ることで、又は電子ペーパの元の情報と手書き情報とを区別することで、高画質の画像を得ることできる画像読取装置、画像読取方法、画像読取システム及び画像読取プログラムを提供することを目的とする。
【課題を解決するための手段】
【００１２】
本発明の第１の態様である画像読取装置は、画像を表示する際の画像の表示特性を記録した薄型表示装置から前記表示特性を読み出す読出手段と、前記読出手段により読み出された表示特性に基づいて、前記表示手段に表示された画像を読み取る画像読取手段と、を備えている。
【００１３】
薄型表示装置は、画像を表示する際の画像の表示特性を記録している。ここで、薄型表示装置は、例えば、画像を表示する表示手段と、表示手段に表示された画像の表示特性を記憶する記憶手段とを有しているのが好ましい。表示特性としては、例えば、表示手段の画素構造、写真や文字等の画像の種別を表す画像種、解像度、変調方式（面積又は濃度）、階調、コントラスト、画素マスクの開口率等が好ましい。
【００１４】
読出手段は、薄型表示装置から表示特性を読み出すために、薄型表示装置と有線で通信してもよいし、無線で通信してもよい。又は、電子ペーパに備えられたＩＣチップやバーコード等から表示特性を読み出すようにしてもよい。
【００１５】
画像読取手段は、読取手段によって読み出された表示特性に基づいて、表示手段に表示された画像を読み取る。例えば、画像読取手段は、表示特性に基づいて読取光量を制御して、表示手段に表示された画像を読み取ることができる。
【００１６】
したがって、本発明の第１の態様によれば、薄型表示装置から読み出された表示特性に基づいて表示手段に表示された画像を読み取ることにより、画質を損うことなく画像を読み取り、高画質の画像を得ることができる。
【００１７】
本発明の第２の態様である画像読取装置 は、画像を表示する際の画像の表示特性を記録した薄型表示装置から前記表示特性を読み出す読出手段と、前記表示手段に表示された画像を読み取る画像読取手段と、前記読出手段により読み出された表示特性に基づいて、前記画像読取手段により読み取られた画像に画像処理を施す画像処理手段と、を備えている。
【００１８】
薄型表示装置は、第１の態様と同様である。ここで、画像処理手段は、読出手段により読み出された表示特性に基づいて、画像読取手段により読み取られた画像に画像処理を施す。画像処理としては、例えば、解像度変換処理がある。
【００１９】
したがって、発明の第２の態様によれば、薄型表示装置から読み出された表示特性に基づいて、読み取られた画像に画像処理を施すことにより、読み取った画像の表示特性を考慮することができ、その結果、高画質の画像を得ることができる。
【００２０】
前記表示特性は、前記薄型表示装置の表面にバーコードとして記録されていてもよい。この場合、表示特性を通信するための特別な通信手段を用いることなく、薄型表示装置から高画質の画像を読み取ることができる。
【００２１】
本発明の第３の態様である画像読取装置 は、薄型表示装置の表示方式、即ち発光種類を判定する種類判定手段と、前記薄型表示装置に光を照射する読取光源と、前記種類判定手段により判定された結果に基づいて、前記読取光源の光量を設定する光量設定手段と、前記薄型表示装置に表示された画像を読み取る画像読取手段と、を備えている。
【００２２】
種類判定手段は、薄型表示装置の発光種類（表示方式）、例えば、非発光型か、発光型か、非発光型かつ光源を有するかを判定する。光量設定手段は、種類判定手段の判定結果に基づいて光量を設定する。読取光源は、設定された光量で、薄型表示装置に光を照射する。さらに、薄型表示装置の発光種類を判定する種類判定手段に、薄型表示装置の発光量・発光波長等を判定する機能を追加して、その結果に応じて読取装置の光量・発光波長等を設定するとより好ましい。
【００２３】
したがって、本発明の第３の態様によれば、薄型表示装置の発光種類に応じて読取光源の光量を設定して薄型表示装置の画像を読み取るので、薄型表示装置の発光種類が異なっても、常に高画質の画像を得ることができる。また、薄型表示装置に光源等が備えられている場合は、薄型表示装置の光量を設定して、読取装置の光量設定と併用してもよい。
【００２４】
本発明の第４の態様である画像読取装置 は、薄型表示装置に表示された画像を読み取る画像読取手段と、前記薄型表示装置を発光させて画像を表示する第１のモードと、前記薄型表示装置を発光させないで画像を表示させない第２のモードと、を切り換え制御する制御手段と、前記第１のモードのときに前記画像読取手段で読み取られた画像と、前記第２のモードのときに前記画像読取手段で読み取られた画像と、に基づいて、前記薄型表示装置に表示された画像と前記薄型表示装置の表示面に追記された画像とを認識する認識手段と、を備えている。
【００２５】
制御手段は、第１又は第２のモードの切り換え制御を行う。第１のモードは、薄型表示装置を発光させて画像を表示するように制御する動作モードである。第２のモードは、薄型表示装置を発光させず、かつ画像を表示させないように制御する動作モードである。
【００２６】
したがって、本発明の第４の態様によれば、認識手段によって、第１のモードのときに読み取られた画像と、第２のモードのときに読み取られた画像とに基づいて、薄型表示装置に表示された画像と薄型表示装置の表示面に追記された画像とをそれぞれ区別して認識することにより、各画像を別に取り扱うことができる。
【００２７】
なお、画像読取装置は、薄型表示装置がいわゆる非自発光型の場合、当該薄型表示装置に表示された画像に光を照射する読取光源を更に備えているのが好ましい。
【００２８】
また、制御手段は、第２のモードの他の態様として、薄型表示装置の表示面に追記された画像を目立たさせるために、薄型表示装置の表示面全体を白地出力するように制御してもよい。なお、制御手段は、薄型表示装置の表示面に追記された画像を目立たさせることができれば、表示面全体をグレー等の他の均一色で出力するように制御してもよい。
【００２９】
本発明の第５の態様である画像読取装置 は、薄型表示装置に画像を表示させ、又は画像を表示させないように制御する表示制御手段と、前記薄型表示装置の表示面を読み取る画像読取手段と、前記薄型表示装置に画像が表示されているときに前記画像読取手段により読み取られた画像と、前記薄型表示装置に画像が表示されていないときに前記画像読取手段で読み取られた画像と、に基づいて前記薄型表示装置に表示された画像を認識する認識手段と、を備えている。
【００３０】
表示制御手段は、薄型表示装置に画像を表示させ、又は薄型表示装置に画像を表示させないように制御する。画像読取手段は、薄型表示装置に画像が表示されているとき、又は薄型表示装置に画像が表示されていないときに、薄型表示装置の表示面を読み取る。
【００３１】
薄型表示装置に画像が表示されていないときに、画像読取手段により読み取られた画像は、表示面の傷の画像である。一方、薄型表示装置に画像が表示されているときに、画像読取手段により読み取られた画像は、薄型表示装置に表示され、かつ表示面の傷の影響をうけた画像である。
【００３２】
したがって、本発明の第５の態様によれば、認識手段によって、薄型表示装置に画像が表示されたときに読み取られた画像と、薄型表示装置に画像が表示されていないときに読み取られた画像と、に基づいて、薄型表示装置に表示された画像を認識することにより、表示面の傷の影響を除去して高画質の画像を得ることができる。
【００３３】
本発明の第６の態様である画像読取システムは、表示画像データに基づく画像を表示する表示手段を有し、該表示手段の表面に追加画像を描画することが可能な薄型表示装置と、前記表示手段を読み取る読取手段と、前記表示手段に前記表示画像データに基づく画像が表示されていないときに前記表示手段を読み取るように前記読取手段を制御する制御手段と、を有する画像読取装置と、を備えている。
【００３４】
ここで、薄型表示装置は、電気泳導方式、サーマルリライタブル方式、ＥＬ方式、電界放出方式、プラズマ方式、液晶方式、その他のいかなる表示方式を利用した表示媒体でもよい。
【００３５】
前記制御手段は更に、前記表示手段に前記表示画像データに基づく画像が表示されているときに前記表示手段を読み取るように前記読取手段を制御してもよい。
【００３６】
前記画像読取装置が、前記表示手段に前記表示画像データに基づく画像が表示されていないときに前記読取手段により前記表示手段を読み取ることにより得られる読取画像データと、前記表示手段に前記表示画像データに基づく画像が表示されているときに前記読取手段により前記表示手段を読み取ることにより得られる読取画像データと、を合成する合成手段を更に備えてもよい。或いは、画像読取装置が、前記表示手段に前記表示画像データに基づく画像が表示されていないときに前記読取手段により前記表示手段を読み取ることにより得られる読取画像データと、前記表示画像データと、を合成する合成手段を備えるようにしてもよい。
【００３７】
本発明の第７の態様である画像読取装置は、薄型表示装置の表示面を読み取る画像読取手段と、前記薄型表示装置に画像が表示されているときに前記画像読取手段により前記表示面を読み取ることにより得られる第１の読取画像データと、前記薄型表示装置に画像が表示されていないときに前記画像読取手段により前記表示面を読み取ることにより得られる第２の読取画像データと、に基づいて、前記第１の読取画像データに画像処理を施す画像処理手段と、を備えている。
【００３８】
ここで、前記画像処理手段は、前記第２の読取画像データから前記表示面の傷に対応するデータを認識し、前記第１の読取画像データのうち、前記傷の位置に対応する位置にあるデータを他のデータで置き換えるようにしてもよい。置き換えるデータは、第１の読取画像データのうちの傷の位置に対応する位置の周囲にあるデータから補間演算により求めても良い。
【００３９】
本発明の第８の態様である画像読取方法は、薄型表示装置から、該薄型表示装置が画像を表示する際の表示特性を読み出すステップと、前記薄型表示装置に表示された画像を読み取る画像読取装置の、該画像を読み取る際の条件を前記読み出された表示特性に基づいて設定するステップと、前記設定された条件で前記画像を読み取るステップと、を備えている。
【００４０】
前記画像を読み取る際の条件は、前記画像読取装置が発する光量及び該画像読取装置の読取解像度の少なくとも一方であってもよい。また、前記読み出された表示特性に基づいて、前記画像読取装置により読み取られた画像に画像処理を施してもよい。ここで、前記画像処理は、前記読み取られた画像の解像度の変換であってもよい。
【００４１】
また、前記薄型表示装置の表示方式を判定し、前記画像を読み取る際の条件を設定するステップにおいて、前記判定された表示方式に基づいて該画像読取装置が発する光量を設定してもよい。
【００４２】
本発明の第９の態様である画像読取方法は、表示画像データに基づく画像を表示する表示手段の表面に追加画像を描画することが可能な薄型表示装置の該表示手段に前記表示画像データに基づく画像が表示されていないときに画像読取装置により前記表示手段を読み取るステップと、を備えている。
【００４３】
ここで、前記表示手段に前記表示画像データに基づく画像が表示されているときに前記表示手段を更に読み取ってもよい。また、前記表示手段に前記表示画像データに基づく画像が表示されていないときに前記表示手段を読み取ることにより得られる読取画像データと、前記表示手段に前記表示画像データに基づく画像が表示されているときに前記表示手段を読み取ることにより得られる読取画像データと、を合成してよもい。或いは、前記表示手段に前記表示画像データに基づく画像が表示されていないときに前記表示手段を読み取ることにより得られる読取画像データと、前記表示画像データと、を合成してもよい。
【００４４】
本発明の第１０の態様である画像読取方法は、薄型表示装置の表示面に画像が表示されているときに画像読取手段により前記表示面を読み取る第１の読取処理を実施するステップと、前記薄型表示装置の表示面に画像が表示されていないときに前記画像読取手段により前記表示面を読み取る第２の読取処理を実施するステップと、前記第１の読取処理により得られる第１の読取画像データと、前記第２の読取処理により得られる第２の読取画像データと、に基づいて、前記第１の読取画像データに画像処理を施すステップと、を備えている。
【００４５】
前記画像処理を施すステップは、前記第２の読取画像データから前記表示面の傷に対応するデータを認識するステップと、前記第１の読取画像データのうち、前記傷の位置に対応する位置にあるデータを他のデータで置き換えるステップと、を更に有する。
【００４６】
また、上述した画像読取方法は、画像読取プログラムがインストールされたコンピュータによっても実施される。
【００４７】
すなわち、本発明の第１１の態様である画像読取プログラムは、薄型表示装置から、該薄型表示装置が画像を表示する際の表示特性を読み出すステップと、前記薄型表示装置に表示された画像を読み取る画像読取装置の、該画像を読み取る際の条件を前記読み出された表示特性に基づいて設定するステップと、前記設定された条件で前記画像を読み取るステップと、をコンピュータに実行させるプログラムである。
【００４８】
本発明の第１２の態様である画像読取プログラムは、表示画像データに基づく画像を表示する表示手段の表面に追加画像を描画することが可能な薄型表示装置の該表示手段に前記表示画像データに基づく画像が表示されていないときに画像読取装置により前記表示手段を読み取るステップをコンピュータに実行させるプログラムである。
【００４９】
本発明の第１３の態様である画像読取プログラムは、薄型表示装置の表示面に画像が表示されているときに画像読取手段により前記表示面を読み取る第１の読取処理を実施するステップと、前記薄型表示装置の表示面に画像が表示されていないときに前記画像読取手段により前記表示面を読み取る第２の読取処理を実施するステップと、前記第１の読取処理により得られる第１の読取画像データと、前記第２の読取処理により得られる第２の読取画像データと、に基づいて、前記第１の読取画像データに画像処理を施すステップと、をコンピュータに実行させるプログラムである。
【発明の効果】
【００５０】
本発明に係る画像読取装置、画像読取方法、画像読取システム及び画像読取プログラムは、高画質の画像を読み取ることができる。
【００５１】
本発明に係る画像読取装置は、薄型表示装置から読み出された表示特性に基づいて表示部に表示された画像を読み取ることにより、高画質の画像を読み取ることができる。
【００５２】
本発明に係る画像読取装置は、薄型表示装置から読み出された表示特性に基づいて、読み取られた画像に画像処理を施すことにより、読み取った画像の表示特性を考慮して高画質の画像を得ることができる。
【００５３】
本発明に係る画像読取装置は、薄型表示装置の発光種類に応じて読取光源の光量を設定して薄型表示装置の画像を読み取るので、薄型表示装置の発光種類が異なっても、常に高画質の画像を得ることができる。
【００５４】
本発明に係る画像読取装置は、薄型表示装置に表示された画像を発光させ、かつ前記読取光源をオフにしたときに読み取られた画像と、薄型表示装置に表示された画像を発光させず、かつ前記読取光源を発光させたときに読み取られた画像とに基づいて、薄型表示装置に表示された画像と薄型表示装置の表示面に追記された画像とをそれぞれ認識することにより、各画像を別に取り扱うことができる。
【００５５】
本発明に係る画像読取装置は、薄型表示装置に画像が表示されたときに読み取られた画像と、薄型表示装置に画像が表示されていないときに読み取られた画像と、に基づいて、薄型表示装置に表示された画像を認識することにより、表示面の傷の影響を除去して高画質の画像を得ることができる。
【発明を実施するための最良の形態】
【００５６】
以下、本発明を実施するための最良の形態について、図面を参照しながら詳細に説明する。
【００５７】
［第１の実施形態］
図１は、本発明の第１の実施形態に係る複写機１０の構成を示すブロック図である。
【００５８】
複写機１０は、設定操作が行われる操作パネル１１と、原稿読取時に必要に応じて発光する読取光源１２と、後述する電子ペーパ２０を光学的に読み取るスキャナである読取部１３と、読取部１３により読み取られた画像やその他の情報を記憶するメモリ１４と、読取部１３により読み取られた画像を印刷する印刷部１５と、入出力端子１６を介して外部とデータ通信を行う通信インターフェース（以下「通信Ｉ／Ｆ」という。）１７と、全体を制御するコントローラ１８とを備えている。
【００５９】
コントローラ１８は、操作パネル１１の設定操作に応じて、又は通信Ｉ／Ｆ１７を介して外部から供給された情報に応じて、読取部１３の画像読取条件を制御することができる。コントローラ１８は、例えば、読取画像が４２０〜４４０ｄｐｉであるのに対して印刷時の複写画像が４００ｄｐｉの場合には、読取画像を４００ｄｐｉの複写画像に変換する。また、コントローラ１８は、印刷部１５の印刷条件を制御することもできる。
【００６０】
図２は、電子ペーパ２０の構成を示すブロック図である。電子ペーパ２０は、紙媒体と同様に画像や文字等が記録される記録媒体であり、本実施形態では、複写機１０によって複写される原稿である。
【００６１】
電子ペーパ２０は、具体的には、入出力端子２１を介して外部とデータ通信を行う通信Ｉ／Ｆ２２と、画像を記憶する画像メモリ２３と、画像を表示するときの表示特性を記憶する表示特性メモリ２４と、画像表示時に発光するペーパ光源２５と、画像メモリ２３に記憶された画像を表示する表示部２６と、全体的な制御を行う表示コントローラ２７とを備えている。
【００６２】
通信Ｉ／Ｆ２２は、入出力端子２１を介して外部から送信された画像を受信して表示コントローラ２７に供給したり、外部からの制御信号を表示コントローラ２７に供給する。
【００６３】
画像メモリ２３には、表示部２６に表示するための画像を記憶する。なお、画像メモリ２３に記憶される画像は、１フレームであってもよいし、２フレーム以上であってもよい。
【００６４】
表示特性メモリ２４には、表示部２６に表示された画像に関する表示特性が記憶されている。表示特性としては、例えば、写真、文字等の画像の種別を表す画像種、解像度、変調方式（面積又は濃度）、階調、コントラスト、画素マスクの開口率等が該当する。
【００６５】
なお、画像メモリ２３と表示特性メモリ２４は、本実施形態では別々の構成としたが、１つのメモリに構成されてもよい。
【００６６】
図３は、電子ペーパ２０の平面図である。図４は、電子ペーパ２０の側面図である。電子ペーパ２０は、例えば、薄型の矩形平板状の筐体２８で覆われている。表示部２６は、筐体２８の一方面側に設けられている。また、入出力端子２１は、筐体２８の両面側から外部に現れるように設けられている。
【００６７】
以上のように構成された複写機１０は、電子ペーパ２０に表示された画像を複写する際、次の処理を実行する。
【００６８】
オペレータは、複写機１０に複写処理を実行させる前に、複写機１０の入出力端子１６と電子ペーパ２０の入出力端子２１とを接続させる。これにより、複写機１０と電子ペーパ２０は、相互通信可能な状態になる。なお、複写機１０と電子ペーパ２０は、有線であっても無線であっても相互通信可能な状態であればよい。そして、オペレータは、電子ペーパ２０を複写機１０の所定の読取位置にセットする。
【００６９】
図５は、複写機１０のコントローラ１８が電子ペーパ２０の画像を複写するときの処理手順を説明するフローチャートである。コントローラ１８は、操作パネル１１を介して複写処理の実行が指示されると、次のステップＳＴ１以下の処理を実行する。
【００７０】
ステップＳＴ１では、コントローラ１８は、通信Ｉ／Ｆ１７、入出力端子１６、電子ペーパ２０の入出力端子２１、通信Ｉ／Ｆ２２を介して、表示コントローラ２７に対して表示特性の送信を要求して、ステップＳＴ２に移行する。
【００７１】
このとき、電子ペーパ２０の表示コントローラ２７は、複写機１０から表示特性の送信要求を受信すると、表示特性メモリ２４から表示特性を読み出して、複写機１０のコントローラ１８にその表示特性を送信する。
【００７２】
ステップＳＴ２では、コントローラ１８は、電子ペーパ２０から送信された表示特性を受信すると、その表示特性に応じて読取光量を設定して、ステップＳＴ３に移行する。
【００７３】
ステップＳＴ３では、コントローラ１８は、ステップＳＴ２で設定された読取光量になるように読取光源１２の発光を制御すると共に、電子ペーパ２０に表示された画像を読取部１３に読み取らせる。そして、コントローラ１８は、読取部１３によって読み取られた画像をメモリ１４に記憶して、ステップＳＴ４に移行する。
【００７４】
ステップＳＴ４では、コントローラ１８は、上記表示特性に基づいて解像度を設定し、設定された解像度に応じて読取画像に画像処理を施す。具体的には、以下の通りである。
【００７５】
コントローラ１８は、予め複数の画像変換マップを記憶している。コントローラ１８は、電子ペーパ２０の読取画像の表示特性（例えば、読取解像度４２０ｄｐｉ）を受信すると表示特性に対応する画像変換マップを選択して、４２０ｄｐｉの読取画像を４００ｄｐｉの複写画像に変換する。
【００７６】
図６は、４２０ｄｐｉの読取画像を４００ｄｐｉの複写画像に変換するための画像変換マップを示す図である。読取画像を構成する各画素は、Ｐｂi（ｉ＝１，２，３…）で表されている。複写画像を構成する各画素は、画素ナンバー（画素Ｎｏ．）で表されている。
【００７７】
コントローラ１８は、画像変換マップの変換式に基づいて、２１画素の読取画像を２０画素の複写画像に変換する。なお、画像変換前の２１画素（Ｐｂ21）と画像変換後の２０画素（画素Ｎｏ．２０）は重なっている。したがって、コントローラ１８は、画像変換後の２２画素以降については、図６に示す画像変換マップの変換式を繰り返し演算して、ステップＳＴ５に移行する。
【００７８】
ステップＳＴ５では、コントローラ１８は、画像処理の施された複写画像を印刷部１５に供給し、印刷部１５にその画像を印刷させて、一連の複写処理を終了する。
【００７９】
以上のように、本実施形態に係る複写機１０は、電子ペーパ２０を光学的に複写する際に、電子ペーパ２０から読取解像度や読取光量等の表示特性を読み出すことによって、最適な条件を設定してから光学的な複写処理を実行することができる。また、複写機１０は、電子ペーパ２０の表示特性メモリ２４から表示特性を簡単に読み出すことができるので、複雑な構成にすることなく、電子ペーパ２０の最適な読取条件を判定することができる。これにより、複写機１０は、電子ペーパ２０の表示部２６の解像度に応じて、モアレを生じることなく、高画質の画像をプリントアウトすることができる。
【００８０】
なお、本発明は、上述した第１の実施形態に限定されるものではなく、次のようにしてもよい。
【００８１】
例えば、電子ペーパ２０は、表示特性メモリ２４に表示特性を記憶しておく代わりに、表示特性を示したバーコードを筐体２８の表面に表してもよい。このとき、複写機１０は、バーコードリーダを更に備えていればよい。これにより、複写機１０は、電子ペーパ２０と直接接続されていなくても、バーコードリーダを介して電子ペーパ２０の表示特性を読み取ることができ、情報伝達のための複雑な手段を用いなくてもよい。そして、複写機１０は、上述した実施形態と同様に、読み取った表示特性に基づいて解像度や光量を設定することができる。
【００８２】
また、本実施形態では、複写機１０と電子ペーパ２０の間で相互通信を行う電子ペーパ保持装置を設けてもよい。
【００８３】
図７は、電子ペーパ保持装置３０の斜視図である。電子ペーパ保持装置３０は、複写機１０と電子ペーパ２０の通信時に電子ペーパ２０を保持するものである。さらに、電子ペーパ保持装置３０は、電源入力端子３７を介して入力された電源を本体に供給するだけでなく、電子ペーパ２０にも電力を供給することができる。
【００８４】
図８は、電子ペーパ保持装置３０の構成を示すブロック図である。電子ペーパ保持装置３０は、オペレータに操作される操作部３１と、全体的な制御を行うＣＰＵ３２と、通信中のデータを一時記憶するデータメモリ３３と、複写機１０と無線通信を行う通信Ｉ／Ｆ３４と、電子ペーパ２０と無線通信を行う通信Ｉ／Ｆ３５と、装置本体や電子ペーパ２０に電源を供給する電源装置３６とを備えている。
【００８５】
ＣＰＵ３２は、通信Ｉ／Ｆ３４を介して複写機１０から受信したデータを、通信Ｉ／Ｆ３５を介して電子ペーパ２０に送信する。また、ＣＰＵ３２は、通信Ｉ／Ｆ３５を介して電子ペーパ２０から受信したデータを、通信Ｉ／Ｆ３４を介して複写機１０に送信する。
【００８６】
複写機１０は、電子ペーパ保持装置３０を介して、電子ペーパ２０と相互通信を行うことができる。したがって、複写機１０は、電子ペーパ２０の画像を光学的に複写する際に、電子ペーパ２０から必要な表示特性を容易に読み出すことができる。
【００８７】
なお、複写機１０が電子ペーパ２０から表示特性を読み出す代わりに、オペレータが複写機１０の操作パネル１１に表示特性を入力してもよい。すなわち、複写機１０は、電子ペーパ２０の読取条件を自動的に設定してもよいし、手動で設定してもよい。
【００８８】
また、複写機１０は、電子ペーパ２０の種類（例えば、非発光型か、発光型か、非発光型かつ光源を有するか）を判定し、判定された電子ペーパ２０の種類に応じて読取光源１２の光量をゼロから最大値までのいずれかに設定してもよい。
【００８９】
また、電子ペーパ保持装置３０と電子ペーパ２０とを電気的に接続しておけば、データのやりとりは無線通信により行われなくとも良い。
【００９０】
また、読取解像度の設定として、画像読取を実施した後にステップＳＴ４において解像度を変換する例を示したが、これに限られるものではない。例えば、画像読取を実施する前に、表示特性に基づいて読取部１３の読取解像度を設定してもよい。
【００９１】
［第２の実施形態］
つぎに、本発明の第２の実施形態について説明する。なお、第１の実施形態と同一の部位については同一の符号を付し、重複する記載は省略する。
【００９２】
第２の実施形態に係る複写機１０は、第１の実施形態と同様に、図１に示すように構成されている。電子ペーパ２０は、第１の実施形態と同様に、図２に示すように構成されている。更に、電子ペーパ２０の表示部２６は、通常の筆記具を使用して表面に画像を描画することができるように構成されている。
【００９３】
複写機１０は、電子ペーパ２０に表示された画像（以下「表示画像」という。）の上に、例えば手書きによって追記された画像（以下「追記画像」という。）がある場合においても、表示画像及び追記画像をそれぞれ区別して高画質の画像を得ることができる。
【００９４】
複写機１０のコントローラ１８は、電子ペーパ２０の表示画像と追記画像とを複写する際には、電子ペーパ２０の表示コントローラ２７と相互通信を行う。
【００９５】
図９は、複写機１０のコントローラ１８が電子ペーパ２０の表示画像及び追記画像を複写する処理手順を説明するフローチャートである。コントローラ１８は、操作パネル１１によって複写処理の実行が指示されると、ステップＳＴ１１以下の処理を実行する。
【００９６】
ステップＳＴ１１では、コントローラ１８は、読取光源１２をオフにすると共に、電子ペーパ２０の表示コントローラ２７を介して、ペーパ光源２５を発光させて、ステップＳＴ１２に移行する。なお、コントローラ１８は、電子ペーパ２０の表示部２６が発光可能な自発光タイプである場合は、表示コントローラ２７を介して表示部２６を発光させればよい。
【００９７】
ステップＳＴ１２では、コントローラ１８は、読取部１３に電子ペーパ２０の表示画像（追記画像も含む。）の読取処理（第１のスキャン）を実行する。ここでは、読取光源１２をオフにしており、ペーパ光源２５を発光させて読取処理を行っているため、元の表示画像のうち、追記画像の位置に相当する部分は追記画像に遮られた状態で読み取られれる。
【００９８】
ステップＳＴ１３では、コントローラ１８は、ステップＳＴ１２のときに読取部１３で得られた第１の読取画像をメモリ１４に保存して、ステップＳＴ１４に移行する。
【００９９】
ステップＳＴ１４では、コントローラ１８は、読取光源１２を発光させると共に、電子ペーパ２０の表示コントローラ２７を介して、ペーパ光源２５をオフにして、ステップＳＴ１５に移行する。
【０１００】
ステップＳＴ１５では、コントローラ１８は、読取部１３に電子ペーパ２０の追記画像の読取処理（第２のスキャン）を実行させる。ここでは、ペーパ光源２５をオフにしているために元の表示画像が表示されていない状態にある。追記画像は、通常の筆記具等で描画されているので、ペーパ光源２５をオフにしても消去されずに残っている。従って、読取光源１２により電子ペーパ２０を照射することにより、追記画像のみを読み取ることができる。
【０１０１】
ステップＳＴ１６では、コントローラ１８は、ステップＳＴ１５のときに読取部１３で得られた第２の読取画像をメモリ１４に保存して、ステップＳＴ１７に移行する。
【０１０２】
ステップＳＴ１７では、コントローラ１８は、第１の読取画像に所定の画像処理を施することにより、追記画像に遮られた部分（追記画像の影）を含む表示画像を認識する。また、コントローラ１８は、第２の読取画像に所定の画像処理を施することにより、追記画像を認識するとともに、表示画像上の、上記追記画像の影の部分の位置を認識する。コントローラ１８は、これらの認識結果に基づいて、表示画像のうち追記画像の影に対応する部分についてはデータなしと認識する。コントローラ１８は、第１の読取処理により得られた追記画像に遮られた部分（追記画像の影）を含む表示画像と、第２の読取処理により得られた追記画像とを合成する。
【０１０３】
なお、コントローラ１８は、表示画像のうち追記画像の影に対応する部分については、その部分の前後左右の画像から補間して、表示画像全体を認識してもよい。この場合、コントローラ１８は、追記画像の影を含まない表示画像全体と、追記画像とを合成する。補間を行うか否かについては、オペレータが操作パネル１１を介して予め選択することができる。
【０１０４】
ステップＳＴ１８では、コントローラ１８は、ステップＳＴ１７において合成された画像について、印刷部１５に印刷処理を実行させて、処理を終了する。
【０１０５】
ここで、表示画像及び追記画像を合成せずに、別々に印刷してもよい。
【０１０６】
以上のように、第２の実施形態に係る複写機１０は、電子ペーパ２０の表示画像と追記画像を区別して読み取ることができ、その結果、それぞれの画像を高画質で印刷することができる。
【０１０７】
なお、本発明は、上述した第２の実施形態に限定されるものではない。例えば、コントローラ１８は、第１のスキャンを実行してから第２のスキャンを実行したが、逆の順序で行ってもよい。また、コントローラ１８は、第１のスキャンを実行する代わりに、電子ペーパ２０の表示コントローラ２７を介して画像メモリ２３から表示画像を直接読み出して、これを第２のスキャンにより識別される追記画像と合成してもよい。
【０１０８】
また、いわゆる自発光型の電子ペーパ２０の場合、複写機１０は光源１２を備えいなくてもよい。さらに、上述したステップＳＴ１４において、コントローラ１８は、ペーパ光源２５をオフする代わりに、追記画像を目立たさせるために、表示面全体を白地出力するように制御してもよい。その他、表示画像を目立たさせることができれば、表示面全体をグレー等の他の均一色で出力するように制御してもよい。
【０１０９】
また、追記画像を表示部２６の表示面に描画するために通常の筆記具を使用する例を示したが、これに限られるものではなく、読取可能な画像が表示部２６の表示面に形成されれば、いかなる筆記具を使用してもよい。更に、追記画像は、筆記具により手書きで描画される画像に限られず、画像が印刷された用紙等を表示部２６の表示面に置くことによって追記画像を形成してもよい。
【０１１０】
［第３の実施形態］
つぎに、本発明の第３の実施形態について説明する。なお、上述した実施形態と同一の部位については同一の符号を付し、重複する記載は省略する。
【０１１１】
第３の実施形態に係る複写機１０は、第１の実施形態と同様に、図１に示すように構成されている。電子ペーパ２０は、第１の実施形態と同様に、図２に示すように構成されている。本実施形態では、複写機１０は、電子ペーパ２０の表示部２６上の傷を検出することで、傷のない高画質の画像を得ることができる。
【０１１２】
複写機１０のコントローラ１８は、電子ペーパ２０の表示コントローラ２７と相互通信を行って、電子ペーパ２０の表示画像のスキャンを制御する。
【０１１３】
図１０は、複写機１０のコントローラ１８が電子ペーパ２０の表示画像を複写する手順を説明するフローチャートである。コントローラ１８は、操作パネル１１によって複写処理の実行が指示されると、ステップＳＴ２１以下の処理を実行する。
【０１１４】
ステップＳＴ２１では、コントローラ１８は、電子ペーパ２０の表示コントローラ２７を介して、表示特性メモリ２４から表示特性を読み出す。そして、当該表示特性をメモリ１４に記憶して、ステップＳＴ２２に移行する。
【０１１５】
ステップＳＴ２２では、コントローラ１８は、電子ペーパ２０の表示コントローラ２７を介して表示部２６に画像を表示させると共に、表示部２６に表示された画像を読取部１３で読み取る。そして、読取部１３で読み取られた第３の読取画像（表示部２６上の傷の影響を受けた表示画像）をメモリ１４に保存して、ステップＳＴ２３に移行する。
【０１１６】
ステップＳＴ２３では、コントローラ１８は、電子ペーパ２０の表示コントローラ２７を介して、表示部２６の画像を消去すると共に、表示部２６の表示面を読取部１３で読み取る。そして、読取部１３で読み取られた第４の読取画像（表示部２６上の傷が現れている画像）をメモリ１４に保存して、ステップＳＴ２４に移行する。
【０１１７】
ステップＳＴ２４では、コントローラ１８は、メモリ１４に記憶されている表示特性と第４の読取画像とに基づいて、電子ペーパ２０の表示部２６に付けられた傷を検出して、ステップＳＴ２５に移行する。
【０１１８】
ステップＳＴ２５では、コントローラ１８は、メモリ１４に記憶されている第３の読取画像について、表示部２６上の傷の影響を消去する傷消し処理を実行して、ステップＳＴ２６に移行する。傷消し処理としては、例えば、傷の周囲の画像から傷位置にある画像を補間すればよい。
【０１１９】
ステップＳＴ２６では、コントローラ１８は、傷消し処理済みの画像を印刷部１５に供給して、印刷部１５に画像を印刷させて、処理を終了する。
【０１２０】
以上のように、第３の実施形態に係る複写機１０は、電子ペーパ２０の表示部２６に画像を表示させた状態で傷つきの画像を読み取り、表示部２６に画像を表示させない状態で傷のみの画像を読み取ることで、傷つきの画像から傷のない画像を得ることができる。また、複写機１０は、赤外線等の特殊な光源を用いることなく、表示面の傷を検出することができる。この結果、複写機１０は、電子ペーパ２０から高画質の画像を光学的に複写することができる。
【０１２１】
なお、本発明は、第３の実施形態に限定されるものではない。例えば、複写機１０のコントローラ１８は、図１０に示した順序に限定されず、第４の読取画像を読み取ってから第３の読取画像を読み取ってもよいのは勿論である。
【０１２２】
また、電子ペーパ２０には、電気泳導方式、サーマルリライタブル方式、ＥＬ方式、電界放出方式、プラズマ方式、液晶方式、その他のいかなる表示方式を利用した表示媒体を使用してもよい。
【０１２３】
さらに、本発明は、上述した実施形態に限定されるものではなく、第１から第３の実施形態の内容を任意に組み合わせて構成してもよい。
【０１２４】
また、上述した画像読取プログラムをコンピュータにインストールしてもよい。これにより、上記コンピュータは、上述した画像読取処理を実行することができる。なお、画像読取プログラムは、通信回線を介して伝送されたものでもよいし、光ディスク、磁気ディスク、半導体メモリなどの記録媒体に記録されたものであってもよいのは勿論である。
【図面の簡単な説明】
【０１２５】
【図１】本発明の実施形態に係る複写機の構成を示すブロック図である。
【図２】電子ペーパの構成を示すブロック図である。
【図３】電子ペーパの平面図である。
【図４】電子ペーパの側面図である。
【図５】複写機のコントローラが電子ペーパの画像を複写するときの処理手順を説明するフローチャートである。
【図６】４２０ｄｐｉの読取画像を４００ｄｐｉの複写画像に変換するための画像変換マップを示す図である。
【図７】電子ペーパ保持装置の斜視図である。
【図８】電子ペーパ保持装置の構成を示すブロック図である。
【図９】複写機のコントローラが電子ペーパの表示画像及び追記画像を複写する処理手順を説明するフローチャートである。
【図１０】複写機のコントローラが電子ペーパの表示画像を複写する手順を説明するフローチャートである。
【符号の説明】
【０１２６】
１０  複写機
１１  操作パネル
１２  読取光源
１３  読取部
１４  メモリ
１５  印刷部
１６，２１  入出力端子
１７，２２  通信Ｉ／Ｆ
１８  コントローラ
２０  電子ペーパ
２３  画像メモリ
２４  表示特性メモリ
２５  ペーパ光源
２６  表示部
２７  表示コントローラ
【図１】
2004222275.tif 000003
【図２】
2004222275.tif 000004
【図３】
2004222275.tif 000005
【図４】
2004222275.tif 000006
【図５】
2004222275.tif 000007
【図６】
2004222275.tif 000008
【図７】
2004222275.tif 000009
【図８】
2004222275.tif 000010
【図９】
2004222275.tif 000011
【図１０】
2004222275.tif 000012